(57)【要約】【課題】  離れた場所に住んでいる情報表示装置のユーザー間で、より円滑なコミュニケーションを行うための情報表示装置及び情報表示方法を提供する。【解決手段】  ネットワーク接続された情報表示装置同士で、同一の画像を視聴して楽しむ場合に、情報表示装置が、接続先の情報表示装置において表示されている画像の表示形態情報を取得する手段を有し、接続先の情報表示装置において表示されている画像の表示形態を、表示画像に多重表示し、接続相手の視聴状態を知ることができる。【選択図】  図１
2005182456.tif 000002
【特許請求の範囲】
【請求項１】
ネットワーク接続され、接続先の情報表示装置と同一の画像情報を受信して画像を表示可能な情報表示装置において、
情報表示装置は、前記接続先の情報表示装置において表示されている画像の表示形態情報を取得する手段を有し、
取得した前記表示形態情報に基づいて、前記接続先の情報表示装置において表示されている画像の表示形態を表示することを特徴とする情報表示装置。
【請求項２】
前記情報表示装置が表示する前記接続先の情報表示装置において表示されている画像の表示形態の表示は、前記情報表示装置が表示している画像の表示形態により決定され、前記情報表示装置が表示している画像に多重表示されることを特徴とする請求項１記載の情報表示装置。
【請求項３】
前記表示形態とは、前記画像情報の索引を表示する形態であることを特徴とする請求項１又は２記載の情報表示装置。
【請求項４】
前記表示形態とは、前記画像情報の全体を表示する形態であることを特徴とする請求項１又は２記載の情報表示装置。
【請求項５】
前記表示形態とは、前記画像情報を時間経過と共に順次切り替えて表示する形態であることを特徴とする請求項１又は２記載の情報表示装置。
【請求項６】
前記表示形態とは、前記画像情報の一部を拡大して表示する形態であることを特徴とする請求項１又は２記載の情報表示装置。
【請求項７】
ネットワーク接続された２以上の情報表示装置が互いに同一の画像情報を受信して画像を表示可能な情報表示方法において、
前記情報表示装置が、接続先の情報表示装置において表示されている画像の表示形態情報を取得するステップと、
取得した前記表示形態情報に基づいて、前記接続先の情報表示装置において表示されている画像の表示形態を表示するステップと、
を有することを特徴とする情報表示方法。
【請求項８】
前記情報表示装置が表示する前記接続先の情報表示装置において表示されている画像の表示形態の表示は、前記情報表示装置が表示している画像の表示形態により決定され、前記情報表示装置が表示している画像に多重表示されることを特徴とする請求項７記載の情報表示方法。
【発明の詳細な説明】
【技術分野】
【０００１】
本発明は、ネットワーク接続された複数の情報表示装置間で静止画像、動画像等の情報を送受信し、情報表示装置ユーザーによってコミュニケーションを行うための情報表示装置及び情報表示方法に関するものである。
【背景技術】
【０００２】
ＡＤＳＬや光ファイバーによるインターネット接続環境の整備を背景に、離れた場所に住んでいる情報表示装置のユーザー間で、情報を送受信しあうコミュニケーション形態が普及し始めている。
【０００３】
そのコミュニケーション形態の例として、文字情報や静止画像、動画像等を送りあう電子メールやメッセンジャーサービス等が挙げられる。またインターネットをはじめとしたコンピュータネットワークに接続された情報交換端末同士が、興味のある映像情報について簡単に情報交換できるようにするためのコミュニケーション手段が、特許文献１，２に開示されている。
【０００４】
また、昨今のデジタルカメラの爆発的な普及を背景に、誰でも簡単にオリジナルの画像情報を作成することが可能な状況になっている。それら画像情報を離れた場所に住んでいる友人や家族等に見せたりするために、ユーザーは自分のホームページ上に複数の画像情報を公開し、電子メールによって画像を見た感想や意見を交換するコミュニケーション手段も存在する。
【特許文献１】特開２００３−１５０５２９号公報
【特許文献２】特開２００３−１２２６９３号公報
【発明の開示】
【発明が解決しようとする課題】
【０００５】
しかしながら、従来では、離れた場所に住んでいる情報表示装置のユーザー間で前記のコミュニケーション手段を用い、複数の画像情報を視聴しながら、コミュニケーションを行う場合に、
（１）各ユーザーが複数の画像のうち、どの画像を視聴しているかが分からない、
（２）各ユーザーが画像の拡大表示やスライドショー表示等、どのような形態で視聴しているかが分からない、
という課題があった。
【０００６】
本発明は上記の従来技術の課題を解決するためになされたもので、その目的とするところは、離れた場所に住んでいる情報表示装置のユーザー間で、より円滑なコミュニケーションを行うための情報表示装置及び情報表示方法を提供することにある。
【課題を解決するための手段】
【０００７】
上記目的を達成するために本発明の情報表示装置にあっては、ネットワーク接続され、接続先の情報表示装置と同一の画像情報を受信して画像を表示可能な情報表示装置において、情報表示装置は、前記接続先の情報表示装置において表示されている画像の表示形態情報を取得する手段を有し、取得した前記表示形態情報に基づいて、前記接続先の情報表示装置において表示されている画像の表示形態を表示することを特徴とする。
【０００８】
前記情報表示装置が表示する前記接続先の情報表示装置において表示されている画像の表示形態の表示は、前記情報表示装置が表示している画像の表示形態により決定され、前
記情報表示装置が表示している画像に多重表示されることが好適である。
【０００９】
ここで、表示形態は、前記画像情報の索引を表示する形態、前記画像情報の全体を表示する形態、前記画像情報を時間経過と共に順次切り替えて表示する形態、前記画像情報の一部を拡大して表示する形態のいすれかであることが好適である。
【００１０】
本発明の情報表示方法にあっては、ネットワーク接続された２以上の情報表示装置が互いに同一の画像情報を受信して画像を表示可能な情報表示方法において、前記情報表示装置が、接続先の情報表示装置において表示されている画像の表示形態情報を取得するステップと、取得した前記表示形態情報に基づいて、前記接続先の情報表示装置において表示されている画像の表示形態を表示するステップと、を有することを特徴とする。
【発明の効果】
【００１１】
本発明によれば、離れた場所に住んでいる情報表示装置のユーザー間で、複数の画像を視聴しながら、コミュニケーションを行う場合に、各ユーザーが複数の画像のうち、どの画像を視聴しているかが分かり、各ユーザーが画像の拡大表示やスライドショー表示等、どのような形態で視聴しているかが分かるようになる。これにより、各ユーザーがどのような写真に注目しているか、興味があるかが容易に分かり、ユーザー間で、より円滑なコミュニケーションを行うことが可能となる。
【発明を実施するための最良の形態】
【００１２】
以下に図面を参照して、この発明の最良な実施形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００１３】
図１は、本発明の実施形態による情報表示装置の接続形態を表わす概念図である。同図中、１０１は第１情報表示装置、１０２は第２情報表示装置、１０３はコンテンツサーバー、１０４はインターネット、１０５は第１デジタルビデオカムコーダ（以下、第１ＤＶＣ）、１０６は第２デジタルビデオカムコーダ（以下、第２ＤＶＣ）を示している。
【００１４】
第１情報表示装置１０１及び第２情報表示装置１０２を利用するユーザー間で、コンテンツサーバー１０３に存在するデジタルカメラ等で撮影された複数の画像を視聴しながらコミュニケーションを行うシステムの接続形態を示している。以下、第１情報表示装置１０１の動作を主に説明する。
【００１５】
図２は、本発明の実施形態に係る情報表示装置の構成を表わすブロック図である。同図中、２０１は操作部、２０２はネットワーク制御部、２０３はＣＰＵ、２０４は画像デコード部、２０５はメモリ、２０６は表示制御部、２０７は画像表示部、２０８はシステムバス、２０９は画像フォーマット変換部、２１０は接続機器制御部を示す。
【００１６】
図３は、図２における操作部２０１に対して、ユーザーによるコミュニケーション開始操作が実行された場合に、画像表示部２０７に表示画面の一形態を表示するまでの動作フローを示している。
【００１７】
図４は、コミュニケーション開始が実行された場合に画像表示部２０７に表示する画面の一形態であるインデックス表示（索引表示）を示す。４０１（ａ）〜（ｌ）によって、コミュニケーションの際に使用する複数の画像データを示している。４０２で示すものは、ユーザーの操作によって移動し、画像表示部２０７の画面全体に表示する画像の候補を示すフォーカス枠である。４０３で示すものは、コミュニケーション相手から受信する動
画像情報をアイコンとして表示した動画アイコンである。後述するが、本情報表示装置１０１，１０２は、コミュニケーション相手が選択中の画像上に、この動画アイコン４０３を多重して表示する構成になっている。
【００１８】
図３のＳ３０１において、ユーザーにより、図２の操作部２０１を用いたコミュニケーション開始操作が行なわれると、Ｓ３０２において、ＣＰＵ２０３は、ネットワーク制御部２０２を介して、図１のコンテンツサーバー１０３からのコミュニケーションの際に使用する複数の画像データを取得する。
【００１９】
ここで取得したデータは一時的にメモリ２０５に格納される。メモリ２０５に蓄積された画像データは、画像デコード部２０４によって復号後、表示制御部２０６に送り、画像表示部２０７で表示される。
【００２０】
Ｓ３０３において、ＣＰＵ２０３は、ネットワーク制御部２０２を介し、他情報表示装置、つまり図２における第２情報表示装置１０２の表示形態情報を取得する。
【００２１】
ここで、表示形態情報には、
コミュニケーション動作を開始しているか否か、
コンテンツサーバー１０３から取得した画像をどのような形態（インデックス表示、シングル表示（全体表示）、拡大表示、スライドショー表示（画像情報を時間経過と共に順次切り替えての表示））で表示しているか、
インデックス表示の場合は、画像の候補を示すフォーカス枠４０２があたっている画像の識別情報（ファイル名やインターネット上に存在する画像の場所を指し示すＵＲＬ（Ｕｎｉｆｏｒｍ  Ｒｅｓｏｕｒｃｅ  Ｌｏｃａｔｏｒ））、
シングル表示、拡大表示、スライドショー表示の場合は、画像表示部２０７に表示中の画像の識別情報（ファイル名やインターネット上に存在する画像の場所を指し示すＵＲＬ（Ｕｎｉｆｏｒｍ  Ｒｅｓｏｕｒｃｅ  Ｌｏｃａｔｏｒ））、
拡大表示の場合は、拡大率や拡大部分の位置情報、
スライドショー表示の場合は、画像の切替間隔情報、
等の情報を含む。
【００２２】
Ｓ３０４において、ＣＰＵ２０３は、自情報表示装置（第１情報表示装置１０１）の表示形態情報を取得する。例えば、コミュニケーション開始動作直後の場合、図４に示したような複数の画像を一覧して表示する形態であるインデックス表示状態であるという情報と、複数の画像のうち、どの画像にフォーカス枠４０２をあてているかの情報を取得する。
【００２３】
Ｓ３０５において、ＣＰＵ２０３は、Ｓ３０３とＳ３０４において取得した他情報表示装置と自情報表示装置の表示形態情報によって、画像表示部２０７に表示する画面の表示形態を決定する。ここでは、自情報表示装置の表示形態は、インデックス表示であるため、図５で示す表示パターン一覧に従い、決定する。
【００２４】
図５において、５０１で示す表は、自情報表示装置がインデックス表示の場合に表示する他情報表示装置の表示形態の表示パターン一覧を示している。以下に各表示パターンを説明する。
【００２５】
５０１（ａ）：他情報表示装置がインデックス表示中の場合、他情報表示装置が選択している画像、すなわちフォーカス枠がある画像５０２上に、他情報表示装置ユーザーの動画アイコン５０６を多重して表示することを決定する。
【００２６】
５０１（ｂ）：他情報表示装置がシングル表示中の場合、シングル表示中の画像５０３上に、他情報表示装置ユーザーの動画アイコン５０６とシングル表示であることを示すシングル表示アイコン５０７を多重して表示する事を決定する。
【００２７】
５０１（ｃ）：他情報表示装置が拡大表示中の場合、拡大表示中の画像５０４上に、他情報表示装置ユーザーの動画アイコン５０６と拡大表示であることを示す拡大表示アイコン５０８を多重して表示する事を決定する。
【００２８】
５０１（ｄ）：他情報表示装置がスライドショー表示中の場合、スライドショー表示中の画像５０５上に、他情報表示装置ユーザーの動画アイコン５０６とスライドショー表示中であることを示すスライドショーアイコン５０９を多重して表示すると共に、スライドショーの進行に従い、動画アイコン５０６、スライドショーアイコン５０９を多重表示する画像の位置を変化させることを決定する。
【００２９】
上述のように決定した他情報表示装置の表示形態の表示パターン情報は、図３のＳ３０６において、ＣＰＵ２０３から表示制御部２０６に送信し、画像表示部２０７に表示させる。
【００３０】
次に、Ｓ３０７において、ＣＰＵ２０３は、他情報表示装置の表示形態の表示制御動作完了後、自情報表示装置の表示形態情報を他情報表示装置に対して送信を行う。
【００３１】
Ｓ３０８において、ＣＰＵ２０３は、接続機器制御部２１０を介して、第１情報表示装置１０１に接続される第１ＤＶＣ１０５を制御し、第１情報表示装置１０１のユーザーの動画像情報を取得、画像フォーマット変換部２０９において、インターネット１０４を介して第２情報表示装置１０２に送信するストリーミングデータ形式への変換を行い、ネットワーク制御部２０２を介し、第２情報表示装置１０２に送信を開始する。
【００３２】
Ｓ３０９において、ＣＰＵ２０３は、ネットワーク制御部２０２を介して、第２情報表示装置１０２から送信される第２情報表示装置１０２のユーザーの動画像情報を受信開始し、画像デコード部２０４によって復号後、表示制御部２０６に送り、動画アイコン４０３として画像表示部２０７において表示する。これにより、第１情報表示装置１０１のユーザーは、第２ＤＶＣ１０６によって映し出された第２情報表示装置１０２のユーザーの姿を見ながらコミュニケーションできる。
【００３３】
Ｓ３１０において、コミュニケーション開始操作があった場合の動作を完了する。本動作完了後、ＣＰＵ２０３は、ユーザーによるコミュニケーション終了操作が実行されるまで、図８に示す動作フローにおけるＳ８０１、Ｓ８０２で示す他情報表示装置と自情報表示装置の表示形態情報の取得動作を繰り返す。
【００３４】
Ｓ８０３において、いずれかの表示形態情報に変化があったことを検出した場合、Ｓ８０４において、図６、図７に示した表示形態の表示パターン一覧に従い、画像表示部２０７に表示する画面の表示形態を決定する。
【００３５】
図６において、６０１で示す表は、自情報表示装置がシングル表示の場合に表示する他情報表示装置の表示形態の表示パターン一覧を示している。以下に各表示パターンを説明する。
【００３６】
６０１（ａ）〜（ｄ）：他情報表示装置が自分とは異なる画像を選択、又は表示している場合、他情報表示装置の表示形態情報は表示しないことを決定する。
【００３７】
６０１（ｅ）：他情報表示装置がインデックス表示を行い、自情報表示装置と同じ画像をフォーカス枠によって選択中の場合、シングル表示中の画像上に他情報表示装置ユーザーの動画アイコン６０２を多重して表示することを決定する。
【００３８】
６０１（ｆ）：他情報表示装置が自情報表示装置と同じ画像をシングル表示中である場合、シングル表示中の画像上に、他情報表示装置ユーザーの動画アイコン６０３、シングル表示であることを示すシングル表示アイコン６０６を多重して表示することを決定する。
【００３９】
６０１（ｇ）：他情報表示装置が自情報表示装置と同じ画像を拡大表示中である場合、シングル表示中の画像上に、他情報表示装置ユーザーが拡大している領域を示す拡大枠表示６０７、他情報表示装置ユーザーの動画アイコン６０４を多重して表示することを決定する。
【００４０】
６０１（ｈ）：他情報表示装置が複数画像をスライドショー表示中である場合、スライドショー中に自情報表示装置と同じ画像を表示している期間中のみ、シングル表示中の画像上に、他情報表示装置ユーザーの動画アイコン６０５、スライドショー表示であることを示すスライドショー表示アイコン６０８を多重して表示することを決定する。
【００４１】
また、図７において、７０１で示す表は、自情報表示装置が拡大表示の場合に表示する他情報表示装置の表示形態の表示パターン一覧を示している。以下に各表示パターンを説明する。
【００４２】
７０１（ａ）〜（ｄ）：他情報表示装置が自分とは異なる画像を選択、又は表示している場合、他情報表示装置の表示形態情報は表示しないことを決定する。
【００４３】
７０１（ｅ）：他情報表示装置がインデックス表示を行い、自情報表示装置と同じ画像をフォーカス枠によって選択中の場合、拡大表示中の画像上に他情報表示装置ユーザーの動画アイコン７０２を多重して表示することを決定する。
【００４４】
７０１（ｆ）：他情報表示装置が自情報表示装置と同じ画像をシングル表示中である場合、拡大表示中の画像上に、他情報表示装置ユーザーの動画アイコン７０３、シングル表示である事を示すシングル表示アイコン７０６を多重して表示することを決定する。
【００４５】
７０１（ｇ）：他情報表示装置が自情報表示装置と同じ画像を拡大表示中である場合、拡大表示中の画像上に、他情報表示装置ユーザーの動画アイコン７０４、拡大表示であることを示す拡大表示アイコン７０７を多重して表示することを決定する。
【００４６】
７０１（ｈ）：他情報表示装置が複数画像をスライドショー表示中である場合、スライドショー中に自情報表示装置と同じ画像を表示している期間中のみ、拡大表示中の画像上に、他情報表示装置ユーザーの動画アイコン７０５、スライドショー表示であることを示すスライドショー表示アイコン７０８を多重して表示することを決定する。
【００４７】
上述のように決定した他情報表示装置の表示形態の表示パターン情報は、Ｓ８０５において、ＣＰＵ２０３から表示制御部２０６に送り、画像表示部２０７によって表示することになる。
【００４８】
Ｓ８０６において、ＣＰＵ２０３は、他情報表示装置の表示形態の表示制御動作完了後、Ｓ８０３において検出した表示形態情報の変化が自情報表示装置の変化であったかどうかを判断する。Ｓ８０６で自情報表示装置の変化であった場合、Ｓ８０７において、表示
形態情報を他情報表示装置に送信する。Ｓ８０６で自情報表示装置の変化がなかった場合、そのままＳ８０１に戻る。
【００４９】
以上、Ｓ８０１〜Ｓ８０７動作を繰り返し、コミュニケーションを行う自情報表示装置と他情報表示装置の表示形態情報を相互に送受信し、画面上に表示することで、各々の情報表示装置のユーザーは、コミュニケーション相手が現在、複数の画像のうち、どの画像を視聴しているかが分かり、画像に対して拡大表示やスライドショー表示等、どのような形態で視聴しているかが分かるようになる。
【００５０】
これにより、各ユーザーがお互いにどのような写真に注目しているか、興味があるかが容易に分かり、ユーザー間で、より円滑なコミュニケーションを行うことが可能となる。
【００５１】
また上述においては、図１に示したように２台の情報表示装置のユーザーによるコミュニケーションを例に説明を行ったが、図３のＳ３０３、図８のＳ８０１において、ネットワーク接続される２台以上の情報表示装置の表示形態情報を取得し、Ｓ３０５、Ｓ８０４において表示形態を決定する事で、３台以上の情報表示装置ユーザーによるコミュニケーションも可能である。
【図面の簡単な説明】
【００５２】
【図１】本発明の実施形態に係る情報表示装置の接続形態を表わす概念図である。
【図２】本発明の実施形態に係る情報表示装置の構成を表わすブロック図である。
【図３】本発明の実施形態に係る情報表示装置の動作フロー１である。
【図４】本発明の情報表示装置が表示する画面の一形態であるインデックス表示である。
【図５】自情報表示装置がインデックス表示の場合に表示する他情報表示装置の表示形態の表示パターン一覧を示す図である。
【図６】自情報表示装置がシングル表示の場合に表示する他情報表示装置の表示形態の表示パターン一覧を示す図である。
【図７】自情報表示装置が拡大表示の場合に表示する他情報表示装置の表示形態の表示パターン一覧を示す図である。
【図８】本発明の実施形態に係る情報表示装置の動作フロー２である。
【符号の説明】
【００５３】
１０１  第１情報表示装置
１０２  第２情報表示装置
１０３  コンテンツサーバー、
１０４  インターネット、
１０５  第１デジタルビデオカムコーダ
１０６  第２デジタルビデオカムコーダ
２０１  操作部
２０２  ネットワーク制御部
２０３  ＣＰＵ
２０４  画像デコード部
２０５  メモリ
２０６  表示制御部
２０７  画像表示部
２０８  システムバス
２０９  画像フォーマット変換部
２１０  接続機器制御部
４０２  フォーカス枠
４０３  動画アイコン
５０６  動画アイコン
５０７  シングル表示アイコン
５０８  拡大表示アイコン
５０９  スライドショーアイコン
６０２  動画アイコン
６０３  動画アイコン
６０５  動画アイコン
６０６  シングル表示アイコン
６０７  拡大枠表示
６０８  スライドショー表示アイコン
７０２  動画アイコン
７０３  動画アイコン
７０４  動画アイコン
７０５  動画アイコン
７０６  シングル表示アイコン
７０７  拡大表示アイコン
７０８  スライドショー表示アイコン
【図１】
2005182456.tif 000003
【図２】
2005182456.tif 000004
【図３】
2005182456.tif 000005
【図４】
2005182456.tif 000006
【図５】
2005182456.tif 000007
【図６】
2005182456.tif 000008
【図７】
2005182456.tif 000009
【図８】
2005182456.tif 000010